(57)【要約】      （修正有）【課題】建設現場などにおいて使用される電路に対して，通電の必要がないと判断した場合には，電路への通電を自動で停止制御し，環境負荷を低減できるとともに，電気安全が確保できる回路遮断器を提供する。【解決手段】過電流や漏電電流など電路における異常電流を起因として遮断制御する第一の通電制御手段１０と，電流検出手段と電圧検出手段から電力量を求める演算手段と作業関係者等の入出管理データキャリアとから作業現場内に人がおらず、且つ演算手段で求めた電力量が所定値以上であった場合に引き外し手段が接点開閉機構に作用し開路する第二の通電制御手段１１を回路遮断器に備えた。【選択図】図１
2014157751.tif 000002
【特許請求の範囲】
【請求項１】
過電流や漏電電流など電路における異常電流を起因として遮断制御する第一の通電制御手段と，異常電流以外の所定の条件を起因として遮断制御する第二の通電制御手段を備えて構成される回路遮断器であって，
前記第二の通電制御手段は，電路に流れる電流を検出する電流検出手段並びに電圧を検出する電圧検出手段と，該電流検出手段並びに電圧検出手段からの出力信号を受けて電力量を求める演算手段と，
前記電路で使用する作業用電気機器を用いる工事作業者並びに作業関係者等の作業現場への入出を管理する認証情報を記憶させたデータキャリアと，該データキャリアを読み取り，演算手段に読み取った情報を出力する読み取り手段を含んで構成され，
作業現場に入ったという入情報と，出たという出情報とを演算手段で比較し，作業現場内に人がいない場合において，演算手段で求めた電力量が所定値以上あった場合に，該演算手段からの出力信号により引外し手段が駆動され，該引外し手段が接点開閉機構に作用することにより電路を開状態とすることを特徴とする回路遮断器。
【請求項２】
前記データキャリアの読み取り部は回路遮断器に臨み前面側に設けられることを特徴とする請求項１記載の回路遮断器。
【請求項３】
前記データキャリアの読み取り部を回路遮断器と分離して設け，前記演算手段とデータキャリアの読み取り部との間を信号線もしくは回路遮断器及びデータキャリアの読み取り部夫々に無線通信部を設けて無線によりデータ通信するよう構成したことを特徴とする請求項１記載の回路遮断器。
【発明の詳細な説明】
【技術分野】
【０００１】
本発明は，建設現場などで用いられる作業用電気機器等に電源を供給する電路に適用される回路遮断器であって，特に，電路における異常電流の発生により電路への通電を制御することに加え，異常電流以外の所定の条件に基づいて電路への通電を制御する機能を有した回路遮断器に関する。
【背景技術】
【０００２】
建設現場などで，作業の進行状況に応じ，臨時に電力の使用が必要となるような場所では，作業用電気機器への電源供給のために，仮設用分電盤を設置して工事作業を行っている。
【０００３】
このような仮設用分電盤としては，例えば特許文献１に開示されたような分電盤が使用される。仮設用分電盤は，その外郭をなす筐体内に，主開閉器と該主開閉器の負荷側に接続された分岐開閉器とを備えて構成される。そして，前記筐体内の主開閉器には分電盤の一次側電路を構成する電線を引き込み接続するとともに，分岐開閉器には分電盤の二次側電路を構成する電線を引き込み接続して，前記作業用電気機器への電力供給を行うよう用いられる。
【特許文献１】特開２００１−１５７３２８号  図１
【発明の開示】
【発明が解決しようとする課題】
【０００４】
前述したような仮設用分電盤の使用形態としては，日毎の始業時に主開閉器および分岐開閉器をＯＮ操作し，終業時にＯＦＦ操作して用いられることが多い。
【０００５】
しかしながら，建設現場などでは，土木工事，建築工事，配管工事など様々な業種の作業者が多数出入りして工事を進めることが一般的であり，前記仮設用分電盤に設けられる主開閉器ならびに分岐開閉器のＯＮ操作もしくはＯＦＦ操作は，個々の業者や作業員がそれぞれ必要に応じて行うことが常である。
【０００６】
そして，日毎の終業時に誰が責任を持って開閉器をＯＦＦするのかは，その時々の作業の進捗具合や出入りする作業者でまちまちであり，終業後も開閉器がＯＦＦ操作されず，開閉器を切り忘れた場合には翌日の作業開始まで作業用電気機器に電力が供給され続ける事例が見受けられる。
【０００７】
さて，このように作業の終了後も開閉器がＯＦＦ操作されず，電源が電路に供給され続けた場合，次のような不都合がある。
【０００８】
第一に余分なエネルギーが消費されることに伴い環境面での問題がある。
【０００９】
例えば，作業現場等で用いられる交流アーク溶接機の溶接作業時の消費電力は，出力にもよるが約１ｋＷから数ｋW程度であり，待機電力は１台当たり２００Ｗ〜３００Ｗ程度である。
【００１０】
即ち，溶接機に電源の供給が続けられている限り待機電力だけで１台当り数百ワットもの余分な電力を消費し続けることとなり，ＣＯ２の排出など環境負荷が高くなるという課題がある。
【００１１】
仮に，終業時（１７：００）から翌朝の始業時（８：００）まで，夜間１５時間の待機電力量は，２００W×１５ｈ＝３ｋWhとなる。１月では，３ｋWh×３０日＝９０ｋWhとなり，１年では，９０ｋWh×１２カ月＝１０８０ｋWhとなる。これは，「地球温暖化対策の推進に関する法律施行令」により，二酸化炭素に換算すれば，１カ月で約５０ｋｇの二酸化炭素の排出量に相当し，１年では約６００ｋｇもの二酸化炭素の排出量に相当する量となる。
【００１２】
第二に安全上の問題がある。
【００１３】
仮設現場における電路は移動用の電線や機器がほとんどで，電気・機械的な保護が他の設備に比べて十分でない場合が多い。そのような電路で，且つ無人の状態で電気供給が継続されていると，短絡や漏電などの事故が起こった際に発見が遅れ火災に至る危険性がある。
【００１４】
また，始業時に機器の配線替えなどを行う場合，前日に仮設用分電盤の開閉器がＯＦＦされているものと勘違いして，充電部に直接触れてしまい，感電し人身災害に至る場合もある。このようなことから，工事作業現場では作業の終了後は開閉器がＯＦＦされていることが望ましい。
【００１５】
そこで，本件の発明の目的とするところは，建設現場などにおいて使用される電路に対して，通電の必要がないと判断した場合には，電路への通電を自動で停止制御し，環境負荷を低減できるとともに，電気安全が確保できる回路遮断器を提供することである。
【課題を解決するための手段】
【００１６】
上記の課題を解決するため，本件発明の請求項１では，過電流や漏電電流など電路における異常電流を起因として遮断制御する第一の通電制御手段と，異常電流以外の所定の条件を起因として遮断制御する第二の通電制御手段を備えて構成される回路遮断器であって，前記第二の通電制御手段は，電路に流れる電流を検出する電流検出手段並びに電圧を検出する電圧検出手段と，該電流検出手段並びに電圧検出手段からの出力信号を受けて電力量を求める演算手段と，
前記電路で使用する作業用電気機器を用いる工事作業者並びに作業関係者等の作業現場への入出を管理する認証情報を記憶させたデータキャリアと，該データキャリアを読み取り，演算手段に読み取った情報を出力する読み取り手段を含んで構成され，作業現場に入ったという入情報と，出たという出情報とを演算手段で比較し，作業現場内に人がいない場合において，演算手段で求めた電力量が所定値以上あった場合に，該演算手段からの出力信号により引外し手段が駆動され，該引外し手段が接点開閉機構に作用することにより電路を開状態とすることを特徴として回路遮断器を提供した。
【００１７】
これにより，電路への通電の必要があるか否かを，前記第二の通電制御手段により判断させ，その結果，通電の必要がない場合には，電路への通電を自動で停止制御するため，余分なエネルギーが消費されることに伴う環境面での問題が解消できるとともに，安全上の問題も解消できる回路遮断器を提供することができる。
【００１８】
また，前記データキャリアの読み取り部は回路遮断器に臨み前面側に設けられることを特徴としてもよい。
【００１９】
また，前記データキャリアの読み取り部を回路遮断器と分離して設け，前記演算手段とデータキャリアの読み取り部との間を信号線もしくは回路遮断器及びデータキャリアの読み取り部夫々に無線通信部を設けて無線によりデータ通信するよう構成したことを特徴としてもよい。
【発明の効果】
【００２０】
本件の発明によれば，建設現場などにおいて使用される電路に対して，通電の必要がないと判断した場合には，電路への通電を自動で停止制御し，環境負荷を低減できるとともに，電気安全が確保できる回路遮断器を提供することができる。
【発明を実施するための最良の形態】
【００２１】
次に本件発明を図面により詳細に説明する。図１は本発明の回路遮断器を電路に接続した場合のブロック図を示した図である。図１において１００は回路遮断器，１から３は該回路遮断器１００が接続される三相３線式の電路である。なお，電路としては，単相３線式，単相２線式，三相３線式など，一般的に作業現場などでよく用いられる相線式の電路を想定している。
【００２２】
４は接点装置である。該接点装置４は，固定接点と可動接点とが対をなした構造であり，該接点の開閉により，電路への通電／遮断が行われる。７は，リンク機構などを用いて構成され前記接点装置４に作用する接点開閉機構部である。該接点開閉機構部７は，操作ハンドルと連動し，該操作ハンドルの動きを接点装置に伝達する。
【００２３】
１０は第一の通電制御手段である。該第一の通電制御手段は，電路に，過電流や短絡電流などの異常電流が生じた場合に作動するものであり，前記開閉機構部７に作用し接点装置を開状態とする。具体的には，バイメタルや電磁引外し装置などを用いて構成される引外し装置である。
【００２４】
また，回路遮断器が，漏電遮断器である場合には，電路における漏電電流が，所定の感度電流に達した場合には，前記開閉機構部７に作用し，接点装置を開状態とする漏電引外し装置も含んでいる。
【００２５】
１１は第二の通電制御手段である。第二の通電制御手段は，電路における異常電流以外の所定の条件を遮断要因として，所定の手順に基づき電路への通電を行うか否かを判定する。そして，電路への通電が不要であると判定すれば，接点開閉機構部７に作用して電路への電源の通電を停止する。
【００２６】
５は電路における消費電力を検出する検出手段で，第二の通電制御手段１１へ電力に応じて出力される出力信号を，第二の通電制御手段１１に入力する。第二の通電制御手段１１は，前記検出手段５からの出力信号を，前記所定の条件のひとつとして処理する。 
【００２７】
次に，本発明の回路遮断器について，図２に示したより詳細な内部ブロック図を用いて説明する。
【００２８】
図１と同じく，１００は回路遮断器，１から３は該回路遮断器１００が接続される電路である。また，４は接点装置，５は検出手段，７は接点開閉機構部，１０はバイメタルや電磁引外し装置などを用いて構成される第一の通電制御手段，１１は第二の通電制御手段である。
【００２９】
検出手段５は，電流検出手段５１と電圧検出手段５２で構成され，検出電流ならびに検出電圧に基づいた信号を出力する。電流検出手段５１としては，変流器やシャント抵抗などを用いて構成するとよい。また，電圧検出手段５２としては電圧センサなどを用いて構成するとよい。単相２線式のときは，２本のうち一線に，単相３線式のときは，電源側の２線に，三相３線式のときは，ＵＶＷのうち２本の線の電流を検出するように配置する。
【００３０】
前記引外し装置９は，第二の通電制御手段からの信号を受けて駆動するトリップコイルである。該トリップコイルは，接点開閉機構部７に作用する鉄芯を備えて構成している。
【００３１】
該トリップコイルに電流が流れると，電磁力により鉄芯がコイル内部に引き込まれ，接点開閉機構部７が備えたラッチを引外し，接点装置４を開状態にせしめる。なお，引外し装置としては，エネルギーを供給することにより機械的変位を行う圧電素子や，アクチュエータなどを用いて構成してもよい。また，前記鉄芯を突出する方向に動作させるよう構成してもよい。
【００３２】
また，回路遮断器として，漏電遮断器を構成する場合には，前記引外し装置９を，漏電引外し手段として用いてもよい。
【００３３】
次に，第二の通電制御手段１１について説明を行う。第二の通電制御手段１１は，通電を行う必要があるか否かの判断処理を，主にマイコン１２１を用いて行う。所定の条件に基づきマイコンが通電を行う必要がないと判断した場合には，引外し装置９を駆動する引外し駆動手段１２２に信号を出力する。マイコン１２１には，Ｉ／Ｏポートや，プログラムデータ記憶領域，データ記憶領域，演算処理部などを備えたものを用いている。
【００３４】
なお，引外し駆動手段として，該マイコン１２１から出力された信号をトリガとして駆動し，前記引外し手段の電源経路の一部となるサイリスタ１２２を用いて構成している。引外し駆動手段としては，この他リレーや半導体スイッチを用いて構成してもよい。
【００３５】
まず，前記第二の通電制御手段１１にて判定される所定の条件について，第一の所定の条件について説明を行う。第一の所定の条件は，通電時間を設定するタイマーによるものである。タイマー機能をマイコンに持たせ，回路遮断器のハンドル操作により，接点が投入されると，タイマーで設定された時間だけ電路への通電を行う。タイマーのカウント開始は，接点が投入されることによりマイコンに電圧が印加されることをトリガとしてもよいし，検出手段により電路に流れる電流が発生したことをトリガとしてもよい。そして，通電時間としては，例えば一日の予定就業時間の９時間とか１２時間を予め設定しておき，通電時間に達したときは，タイマーがカウントアップし，マイコンから前述の引外し駆動手段１２２に駆動信号を出力する。
【００３６】
タイマーの設定時間は，押し釦操作式のタイマー時間設定手段１２６により，マイコン外部からＩ／Ｏポートを通じて，手動で設定できるように構成している。これにより，作業現場毎に異なる通電時間を設定する場合にも，８時間とか，１０時間などの通電時間を簡単に設定することができる。
【００３７】
なお，残業など特別な事情で１回目の通電制御後に電路への通電が必要になる場合を想定し，開路後３０分とか１時間以内に接点の再投入があった場合は，１時間とか2時間など初回にタイマーがカウントアップする時間より短時間でカウントアップするようにマイコンに再カウントアップ機能を持たせて制御してもよい。翌日の始業時の接点投入は前日の終業時より少なくとも数時間は経過しているので，１回目のタイマーのカウントアップする時間は一日の就業時間となる。
【００３８】
次に，第二の所定の条件について説明を行う。第二の所定の条件は，使用可能な電力量情報を記憶した記憶媒体のデータを読み込むことにより，その電力量分だけ通電を可能とするものである。
【００３９】
具体的には，検出手段５により検出した電力をマイコンで積算し，その積算値と，前記記憶媒体に記憶された使用可能な電力情報を記憶媒体読取手段１３０により読み込み比較し，前記積算値が前記使用可能な電力情報に達した場合には，マイコンから前記引外し駆動手段１２２に駆動信号を出力し，引外し装置９を駆動させて，該引外し装置９が接点開閉機構部７に作用することにより，接点装置４が開状態となり，電路への通電が遮断される。
【００４０】
なお，前記検出手段５から出力された信号は，マイコン１２１に入力される前に，入力前処理として，電圧増幅回路により電圧増幅され，ローパスフィルターにより不要なノイズが除去され，信号レベル調整回路によりマイコンの入力ポートに適した入力レベルに調整されてマイコンに入力される。本実施例では，検出手段を複数設けており，その数だけ入力前処理の系統を設けている。なお，単相３線式や，三相３線式では，３線のうち２線に設置した電流検出手段である変流器やシャント抵抗など，２つの電流検出素子の出力について，それぞれの出力について個別に処理を行い，どちらかの出力が閾値を下回った場合に作業が行われていないと判定するよう構成してもよいし，それぞれの出力を合算しその合計が，閾値を下回った場合に作業が行われていないと判定するよう構成してもよい。
【００４１】
記憶媒体としては，ＩＣカードや，磁気記憶カードであるコンパクトフラッシュ（登録商標）カードやＳＤメモリカードなどを想定している。例えば，作業現場の統括元で，各現場での使用可能電力量を決定し，その電力量をコンピュータから記憶媒体に書き込み，現場の回路遮断器にて該記憶媒体を読み込むことにより，使用可能な電力量を設定する。
【００４２】
読み込み手段としては，ＩＣカードリーダーや，磁気記憶カードリーダーなどを想定している。
【００４３】
なお，使用可能な電力量情報を回路遮断器で読み取る方法として，回路遮断器にマイコンと接続された通信手段を設けて，作業現場の統括元となるゼネコン側に設けた通信手段から，所定の電力量情報を送信し，回路遮断器側でその電力量情報を受信することにより，電路で検出された電力の積算値と，受信した電力量情報とを比較するように構成してもよい。
【００４４】
通信手段としては，電話網を利用した通信としてもよいし，インターネット網を利用した通信としてもよい。ゼネコン側からみた回路遮断器の特定は，固有の識別番号を予め回路遮断器側に付与しておき，該識別番号に基づいて特定するようにしてもよいし，インターネット網を利用するときには，回路遮断器側の通信手段としてＴＣＰ／ＩＰに対応した通信部を用い，ＭＡＣアドレスや，ＩＰアドレスに基づいて特定するように構成してもよい。
【００４５】
特に，非常時接続環境である場合には，動的に割り当てられるＩＰアドレスとＵＲＬとを結びつけるＤＤＮＳを利用して回路遮断器側と特定してもよい。また，回路遮断器側から，インターネット上に準備されたサーバーにアクセスを行い，サーバーに蓄積された電力量情報を取得し，その電力量情報を積算値と比較するように構成してもよい。なお，ＩＰｖ４（インターネットプロトコルバージョン４）規格に基いた通信を行う場合にはこのような方式を用いるが，ＩＰｖ６規格に基づいた通信を行う場合にはそもそも通信元が特定できるためＤＤＮＳなどのシステムが簡略化できる。
【００４６】
次に，第三の所定の条件について説明を行う。第三の所定の条件は，作業現場に入出する工事作業者や作業関係者が携帯するデータキャリアの情報を読取手段１３０にて読み取り，入情報と，出情報とを比較し，現場内に人がいない場合に消費電力が一定以上あった場合には通電を停止するものである。
【００４７】
データキャリアとしては，作業現場に出入りする工事作業者や作業関係者などが携帯するＩＤカードを想定している。該ＩＤカードには，その現場の関係者であることを識別する認証情報を記憶させた記憶部と，その認証情報を外部から読み取り可能に設けた通信部が備えられている。認証情報としては，例えば，作業現場に出入りする全ての業者で共通な認証情報を記憶させたものとしてもよいし，業者毎に異なる認証情報を記憶させたものとしてもよいし，個人を識別する認証情報を記憶させたものとしてもよい。これらの情報はコンピュータを用いて予めＩＤカードに記憶させておくとよい。
【００４８】
また，データキャリアとしては，ＩＤカード以外にも，識別情報を記憶させたＩＣタグを備えた携帯物や，無線ＩＣタグを用いたものであってもよい。
【００４９】
作業者や作業関係者はこれらのデータキャリアを携帯しておく。そして，作業現場に入るときと出るときに，前記データキャリアの認証情報が，回路遮断器１００に設けられた読み取り手段１２５から読み取られる。これにより，作業者や作業関係者が作業現場内にいる／いないといった情報が判別できる。
【００５０】
具体的には，マイコン１２１に設けられたデータ記憶部に，読み取ったデータキャリア情報を記憶していき，人が入ったという情報と，人が出たという情報を対にして管理し，個別に入出状態を判定する。
【００５１】
また，電路における消費電力の検出は前述の第二の所定の手段において説明したものと同様に行い，作業現場に人がいないと判定した場合において，所定の消費電力，例えば所定の消費電力を１８０Ｗと設定しておき，２００Ｗの電力が検出された場合には，引外し駆動手段１２２に信号を出力し，引外し手段９を駆動して電路への通電を遮断する。
【００５２】
次に，第四の所定の条件について説明を行う。第四の所定の条件は，予め設定した始業時間並びに終業時間を時計機能を備えた時計手段により管理し，その就業時間内のみ，電路への通電を行うものである。
【００５３】
就業時間の設定は，押し釦操作式の就業時間設定手段１２４により，マイコン外部からＩ／Ｏポートを通じて，手動で設定できるように構成している。作業現場での始業時間と終業時間を設定し，マイコン内部に設けられた時計機能により，現在の時刻と設定された時間とを比較し，終業時間に達した場合には，引外し駆動手段１２２に信号を出力し，引外し手段９を駆動して電路への通電を遮断する。
【００５４】
なお，就業時間設定手段１２４と同様に，休憩時間設定部１２３を設けて，作業現場での休憩時間を設定できるように構成するとよい。例えば，昼休憩時間を，１２時から１３時までと設定し，その間の通電制御処理を２種類設ける。第一の休憩中の処理として，休憩時間中においては，電路への通電を行わないように制御し，第二の休憩中の処理として，休憩時間中においては，電路への通電を継続するように制御し，各々の処理を選択手段により選択可能に設けるとよい。
【００５５】
また，休憩時間の設定を，複数パターン設けて，昼休憩の他，午前１０時から１０分間とか，午後３時から１０分間の休憩時間を設定できるようにし，それぞれの休憩時間について，通電制御を行うか否かを選択できるように構成するとよい。例えば，休憩時間が短い場合に所定の条件に達した場合，電路への通電を遮断してしまうと，再度回路遮断器を投入する手間がかかったり，ウォーミングアップが必要な機器などの使用に手間取ることになるが，休憩時間が短い場合には所定の条件に達した場合でも電路への通電を遮断しないようにすることで，回路遮断器を投入する手間や機器のウォーミングアップ時間を省くことができ，作業の効率を極力下げることなく継続することができる。作業現場に応じて，作業効率と，通電を行わないことによる環境負荷の低減とのバランスを考え，両者選択することができるようにしたから，その時々に応じて柔軟な選択を行うことができる。
【００５６】
次に，本発明の回路遮断器について図３を用いて説明する。
【００５７】
図３には，本発明の回路遮断器の外観図を示している。本実施例における回路遮断器は，その筐体内に，第一の通電制御手段と，第二の通電制御手段とを内蔵させたものである。
【００５８】
１２９は各種設定情報を表示する表示部である。該表示部は，液晶ディスプレイを用いて構成しており，マイコン１２１で設定されたタイマー時間や就業時間，休憩時間などの情報を表示する。
【００５９】
１２８は設定釦であり，設定条件切替部１２８１にて選択された設定条件を設定するものである。例えば，設定条件切替部１２８１によりタイマー時間を選択した場合には，設定釦１２８を操作することにより，表示部に表示されたタイマー時間が加減し，所望のタイマー時間を設定することができる。また，設定条件切替部１２８１により，就業時間を選択した場合には，設定釦１２８を操作することにより，表示部に表示された就業時間の始業時間と終業時間を設定することができる。また，設定条件切替部１２８１により，休憩時間を選択した場合には，設定釦１２８を操作することにより，表示部に表示された休憩時間の開始時間と終了時間を設定することができる。
【００６０】
１３０，１３１は読取部であり，前述のデータキャリアや使用できる電力量情報を記憶したカードとデータ通信を行い，データキャリアやカードに記憶された情報を読み出す。読み出した情報は，マイコンに出力される。また，記録媒体に記憶された記憶情報についても読み取り，読み出した情報はマイコンに出力される。
【００６１】
なお，本実施例においては，回路遮断器と一体に設けたが，回路遮断器の設置場所と作業現場の出入り口とが離れているような場合には，前記読取部１３０と回路遮断器を分離して構成し，その間を信号線で接続してもよいし，互いに無線通信部を設けて構成してもよい。
【００６２】
１２５は，電源ランプであり，ＬＥＤを用いて構成している。電源ランプはマイコン１２１の出力ポートに電気的に接続されており，判定ブロックが機能している場合に点灯するようにしている。
【００６３】
なお，判定ユニットの判定状況に応じて，該電源ランプの点灯のさせ方を変化させるよう構成してもよい。例えば，通常は点灯を行うが，検出電流に基づき判定処理を行い，通電制御が行われる場合には，点滅して，まもなく通電を停止する旨を知らせるように構成してもよい。
【００６４】
１２７は，テスト釦である。該テスト釦１２７を操作すると，通電制御機能が正常であるかマイコン１２１にて自己チェックを行うよう構成している。
【００６５】
本実施例では，テスト釦１２７を操作した場合，その５秒後に，マイコン１２１の遮断信号を出力するよう構成している。引外し手段駆動手段は，遮断信号を受けてアノードカソード間が導通状態となるから，遮断ブロックに設けられた引外し手段に電源が印加される。そして，引外し手段が駆動し，接点開閉機構部に作用し接点が開状態となる。
【００６６】
また，１１４は遮断表示釦である。遮断表示釦１１４は，第二の通電制御手段の判定により遮断動作した場合に，遮断ブロックの外郭を構成する筐体から突出するよう構成している。具体的には，前記引外し手段に設けられた鉄芯が動作した場合に，該鉄芯の動きと連動して突出／引込するように構成している。
【００６７】
これにより，操作ハンドルがＯＦＦ位置にある場合，遮断表示釦１１４の突出状態を合わせて見ることにより，通電の制御が行われて遮断動作したか否かを判断することができる。
【００６８】
１５０は制御解除釦である。制御解除釦１５０は，マイコンのＩ／Ｏポートに接続され，該制御解除釦１５０からの信号入力があった場合には，前記第二の通電制御手段による制御を解除するよう構成している。前述のように所定の条件に達した場合には，電路の電源が遮断されるが，あと少し電源がほしい場合も想定される。作業がやむなく中断されることにより，翌日の始業時まで作業が行えないことにより，作業効率が著しく低下する場合などに，制御解除を行うことにより，結果として電力の使用が減り，環境負荷の低減につながる。
【００６９】
１４０は通電制御がなされることを周囲に報知するスピーカである。マイコンにより，前述したような所定の条件に基づいて通電の制御が行われる場合，通電制御を行うよりも前に，通電制御処理がなされることを音声で報知する。
【００７０】
音声データは，予めマイコンのデータ記憶領域に記憶させておいてもよいし，別途，音声ＩＣを用いて構成してもよい。
【００７１】
例えば，所定の条件がタイマーや，通電可能時間に基づくものである場合には，タイマーがカウントアップする数十分前や数分前などに，周囲に，「まもなく電源を切ります。」，「作業中の場合はご注意ください。」などの注意喚起を行う。
【００７２】
また，所定の条件が使用できる電力量情報である場合には，「まもなく電源を切ります。」との報知の他に，日毎の作業終了時間前に「あと５０ｋＷｈ電力の使用が行えます。」などの残りの使用可能電力量情報を報知してもよい。
【００７３】
なお，第二の通電制御手段を回路遮断器とは分離し，外付けのユニットとして構成してもよい。
【００７４】
この場合には，図４に示したように，電路に接続されて必要に応じて電路を遮断する第一の通電制御手段を備えた遮断器ブロック１１０と，電路への通電の必要性を判断する第二の通電制御手段を備えた判定ブロック１２０とを設けて，各々を連結手段により連結して構成する。
【００７５】
遮断ブロック１１０と，判定ブロック１２０とは，機械的な係合部を用いて連結されている。なお，より簡易に両面テープなどの粘着物を用いて連結させてもよい。
【００７６】
判定ブロック１２０は，前記遮断ブロック１１０内に設けられた電路に接続されて電源を取得する電源取得部と，電流検出手段から出力される信号を取得する電流電圧検出信号取得部と，引外し手段を駆動させる引外し手段駆動経路接続部を備え，遮断ブロックとの間で電源及び信号の送受信を行う。
【００７７】
図４に示した例では，遮断ブロックの外郭を構成する器体の一部に，これら電源取得部，電流電圧検出信号取得部，引外し手段駆動経路接続部を構成するリード線を配設するための孔部を設け，判定ブロックに引き込んでいる。
【００７８】
このように，図４に示した回路遮断器における遮断ブロックとしては，引外し手段を備えた配線用遮断器や漏電遮断器に改良を加えることで使用することが可能であり，一から新たに，第二の通電制御手段を備えた回路遮断器を開発する場合と比べて，該回路遮断器の開発期間を短縮させながら，なおかつ製造コストを低減させて提供できるというメリットがある。
【産業上の利用可能性】
【００７９】
本発明は，工事現場や建設現場の仮設用分電盤に用いることができる。また電気の切り忘れを防止することができることから，同様な目的で可能な範囲で家庭用や工場その他業務用途としても用いることができる。
【図面の簡単な説明】
【００８０】
【図１】第一の実施例の回路遮断器を示すブロック図
【図２】回路遮断器の内部ブロック図。
【図３】本発明の回路遮断器の外観図。
【図４】その他の回路遮断器の例を示す外観図。
【符号の説明】
【００８１】
１，２，３  電路
４  接点装置
５  検出手段
７  接点開閉機構部
９  引外し手段
１０  第一の通電制御手段
１１  第二の通電制御手段
１００  回路遮断器
１１０  遮断ブロック
１１４  遮断表示釦
１２０  判定ブロック
１２１  マイコン
１２２  引外し駆動手段
１２３  休憩時間設定手段
１２４  就業時間設定手段
１２５  電源ランプ
１２６  タイマー時間設定手段
１２７  テスト釦
１２８  設定釦
１２８１  切替手段
１３０  読取手段
１３１  読取手段
１４０  スピーカ
１５０  制御解除手段
【図１】
2014157751.tif 000003
【図２】
2014157751.tif 000004
【図３】
2014157751.tif 000005
【図４】
2014157751.tif 000006